(57)【要約】      （修正有）【課題】ホコリ、水分の侵入を防止するスイッチ配線装置の保護カバー構造を提供する。【解決手段】口部を備える頭部区１０、頭部区に連接する腹部区２０、腹部区に連接する尾部区３０を備え、頭部区と腹部区とは連続してチャンバーを形成してスイッチ配線装置９０に組み合わせ、尾部区には導線８０を挿入する導孔３１を形成し、尾部区外周には複数の環状リブ３２を設けてゴム又はプラスチックからなる保護カバー１００の構造強度を増強し、配線作業時に導線に生じる外部応力を尾部区で補強する。【選択図】図１
0003224543.tif 000002
【実用新案登録請求の範囲】
【請求項１】
スイッチ配線装置に用いる保護カバー構造において、保護カバーは筒体構造を呈し、
スイッチ配線装置を導入する口部を備える頭部区、該頭部区に連接する腹部区、該腹部区に連接して導線を導入する少なくとも１個の尾部区を備え、
該頭部区と該腹部区は、口部に通じるチャンバーを共同で形成し、該尾部区にはチャンバーに通じる導孔を形成し、
該尾部区外周には、複数の環状リブを設置して保護カバーの構造強度を増強し、配線作業時に生じる外部応力を支える該尾部区を補強したことを特徴とするスイッチ配線装置に用いる保護カバー構造。
【請求項２】
前記保護カバーは、ゴム、プラスチックのいずれかを用いて製造してスイッチ配線装置に組み合わせ、
前記尾部区の導孔には、導線を挿入することを特徴とする請求項１に記載のスイッチ配線装置に用いる保護カバー構造。
【請求項３】
前記頭部区の外周には、肉薄とするための凹部構造を形成することを特徴とする請求項１或いは２に記載のスイッチ配線装置に用いる保護カバー構造。
【請求項４】
前記チャンバー内周には、収容したスイッチ配線装置に当接する少なくとも１個の肩部構造を設置することを特徴とする請求項１或いは２或いは３に記載のスイッチ配線装置に用いる保護カバー構造。
【請求項５】
前記頭部区外周、腹部区外周には、複数のリブ部をそれぞれ設置することを特徴とする請求項１或いは２或いは３或いは４に記載のスイッチ配線装置に用いる保護カバー構造。
【請求項６】
前記尾部区が最大湾曲状態を生じると、尾部区外周の複数の環状リブは相互に干渉を形成することを特徴とする請求項１或いは２或いは３或いは４或いは５に記載のスイッチ配線装置に用いる保護カバー構造。
【請求項７】
前記保護カバーには、頭部区と尾部区の少なくとも一つを結束する固定器を設置し、
該固定器は、対称形態の２個の環状半円形の構造を備え、それぞれ第一部、第二部を備え、
第一部、第二部は、それぞれ第一端と第二端を備え、第一部の第一端と第二部の第二端は、凹部、凹部区域内に位置するカンチレバー、カンチレバーから突出する係合部を形成し、第一部の第二端と第二部の第一端は、突部、突部上に配置される溝部、溝部に連接する嵌合溝を形成し、
該第一部と該第二部は、相互に組み合わされ、第一部第一端の凹部は、第二部第一端の突部に組み合わされ、これにより第一部第一端のカンチレバー、係合部は、第二部第一端の溝部、嵌合溝内部に対応して組み合わせられ、及び第一部第二端の突部、溝部と嵌合溝は、第二部第二端の凹部、カンチレバーと係合部に対応して組み合わせられることを特徴とする請求項１或いは２或いは３或いは４或いは５或いは６に記載のスイッチ配線装置に用いる保護カバー構造。
【請求項８】
前記保護カバーには、頭部区と尾部区の少なくとも一つを結束する固定器を設置し、該固定器は、結束バンドの形態であることを特徴とする請求項１或いは２或いは３或いは４或いは５或いは６に記載のスイッチ配線装置に用いる保護カバー構造。
【請求項９】
前記保護カバーには、固定器を設置し、該固定器は筒状体構造であることを特徴とする請求項１或いは２或いは３或いは４或いは５或いは６に記載のスイッチ配線装置に用いる保護カバー構造。
【請求項１０】
前記保護カバーには、固定器を設置し、該固定器は筒状体構造で、固定器は、前記頭部区のリブ部と干渉を形成し、これにより固定器は保護カバー上に嵌めて固定され、頭部区のリブ部は、スイッチ配線装置を導入する口部に向けて徐々に斜めに拡張する構造を形成し、これにより固定器とリブ部の干渉組合せ応力は、徐々に拡大する形態を形成することを特徴とする請求項５に記載のスイッチ配線装置に用いる保護カバー構造。
【請求項１１】
前記保護カバーには、固定器を設置し、該固定器は筒状体構造で、かつ固定器内壁には、ねじ山セクションを形成することを特徴とする請求項１或いは２或いは３或いは４或いは５或いは６に記載のスイッチ配線装置に用いる保護カバー構造。
【請求項１２】
前記尾部区は、保護カバー軸線に相対して斜めに延伸するか、垂直に湾曲するかいずれかの形態を形成し、これにより尾部区と保護カバー軸線の挟角角度は、１５度〜９０度となることを特徴とする請求項１或いは２或いは３或いは４或いは５或いは６に記載のスイッチ配線装置に用いる保護カバー構造。
【請求項１３】
前記尾部区は、保護カバー軸線に相対して保護カバーの両側方向へとそれぞれ延伸することにより垂直に湾曲した形態の構造を形成することを特徴とする請求項１或いは２或いは３或いは４或いは５或いは６に記載のスイッチ配線装置に用いる保護カバー構造。
【考案の詳細な説明】
【技術分野】
【０００１】
本考案はスイッチ配線装置に用いる保護カバー構造に関し、特にスイッチ配線装置上に取り付けられ、配線構造をカバーして密閉形態を形成するスイッチ配線装置に用いる保護カバー構造に関する。
【背景技術】
【０００２】
スイッチ配線装置は、回路、回線に接続する電源スイッチ部品で、電子、電機設備の操作パネル或いは配電ボックスに取り付けられ、配線回路に連接される。
スイッチ配線装置は、端子台或いは接点台（通常はプラスチック材料製）上の導電部品、金属弾片（或いはねじ）圧迫電子、電機設備の配線回路或いは導線に配置され、スイッチ（ボタン）の操作に対応し、導電部品、金属弾片と配線回路或いは導線の通電或いは遮断を制御し、回路電源をオン／オフする作用を確立する。
特許文献１、特許文献２、特許文献３の「ダイヤルスイッチの迅速連接固定機構」等は、典型的な先行技術例である。
【０００３】
異なる線径の導線をスイッチ配線装置に挿入できるよう、作業員の操作の便のため、スイッチ配線装置入線孔の孔径は、導線線径より明らかに大きい必要がある。
従来のスイッチ配線装置の組み合わせ構造には、構造形態と操作応用の面で以下の課題がある。
【０００４】
１．入線孔の孔径は、導線線径より明らかに大きいため、実務上、長期間の使用により、ホコリ、水分或いは湿気が端子内に侵入して溜まりやすく、導電性能に影響を及ぼす。
２．従来のスイッチ配線装置の配線アセンブリと外殼輪郭（或いは入線孔）の対応構造は複雑であるため、業界或いは当該技術分野領域では、有効な防護構造を製造し、入線孔を密閉し、スイッチ内へのホコリ、水分或いは湿気の侵入を阻止する構造は長い間存在しなかった。
【０００５】
ある種の応用の状況では、外部の雨水或いはホコリのスイッチ装置への侵入を防ぐため、実務上、ハウジングを別に設置してスイッチを覆うことが行われていた。
しかし、当該技術の習熟者なら分かるように、別にハウジングを設置することで、スイッチ装置全体の空間を占拠してしまい、しかも設置作業、配送の面倒とコストを拡大してしまう。
【０００６】
上記の特許文献が開示するスイッチ配線装置の、構造組合せ設計と応用面の技術において、該スイッチ配線装置（或いはハウジング）と入線孔の構造組合せ形態の設計を新たに考慮し、従来とは異なる構造とし、その使用形態を変えることができれば、実質的にその応用範囲を拡大できる。
【０００７】
例えば、保護カバー構造を提供すれば、それがスイッチ配線装置への作業員の組み付け操作が便利だという条件を備えながら、スイッチ配線装置へのホコリ、水分或いは湿気の容易な侵入と堆積を阻止する作用を達成し、しかも別にハウジングを設置しスイッチを覆う従来の構造のスイッチ装置全体の空間占拠、設置作業と配線の面倒、コスト等を拡大する状況を改善できる。
【０００８】
特に、該保護カバー構造は、より理想的な構造強度を提供することで、作業員がスイッチ配線装置の配線作業を操作する際に生じる引っ張り、湾曲などの外部応力（或いは作用力）に耐えられなければならない。
これら課題は、上述の特許文献中では教唆或いは具体的に開示されていない。
【先行技術文献】
【特許文献】
【０００９】
【特許文献１】ドイツ特許第ＤＥ４４０８３６６Ａ１号
【特許文献２】特開２０００-３４００６２号公報
【特許文献３】中国特許第ＣＮ２８２１８３３Ｙ号
【考案の概要】
【考案が解決しようとする課題】
【００１０】
本考案の目的は、ホコリ、水分の侵入を防止でき、導線組合せの堅固性を拡大する等の作用を備えるスイッチ配線装置に用いる保護カバー構造を提供することである。
【課題を解決するための手段】
【００１１】
本考案によるスイッチ配線装置に用いる保護カバー構造において、保護カバーは筒体構造を呈し、口部を備える頭部区、頭部区に連接する腹部区、該腹部区に連接する少なくとも１個の尾部区を備え、
該頭部区と該腹部区とはチャンバーを共同で定義し、スイッチ配線装置に組み合わせ、
尾部区には導線を挿入する導孔を定義し、尾部区周辺には、複数の環状リブを設置し、保護カバー（或いは尾部区）の構造強度を増強し、しかも配線作業時に導線生じる外部力量を尾部区が支えるのを補助し、
本考案によるスイッチ配線装置に用いる保護カバー構造に基づき、該頭部区の周辺には、凹部構造を形成し、頭部区の厚みを減らし、頭部区の弾性性能を高め、保護カバー（或いは口部）とスイッチ配線装置の組み合わせ操作作業とカバー固定作用に有利とし、
本考案によるスイッチ配線装置に用いる保護カバー構造に基づき、該チャンバーには、少なくとも１個の肩部構造を設置し、スイッチ配線装置の定位を補助する。
【考案の効果】
【００１２】
保護カバー構造は、より理想的な構造強度により、作業員がスイッチ配線装置の配線作業を行う際に生じる引っ張り、湾曲等外部力量（或いは作用力）を支えるメカニズムを提供することができる。
【図面の簡単な説明】
【００１３】
【図１】本考案とスイッチ配線装置組合せの立体構造模式図である。
【図２】本考案の構造断面模式図であり、保護カバーのチャンバー、導孔の構造状況を示す。
【図３】図１の構造断面模式図であり、スイッチ配線装置と保護カバーの構造組合せ状況を示す。
【図４】本考案の操作実施例の構造断面模式図であり、作業員の配線作業操作による導線の引っ張り、湾曲の負荷を尾部区が支える状況を示す。
【図５】本考案の修正実施例の立体構造模式図であり、保護カバーに固定器の構造を設置する対応状況を示し、点線部分は、固定器を頭部区に組み合わせる状況を示す。
【図６】本考案固定器の立体構造模式図である。
【図７】本考案の派生実施例の立体構造模式図であり、保護カバーに固定器の構造を設置する対応状況を示し、点線部分は、固定器を頭部区に組み合わせる状況を示す。
【図８】本考案の可能な実施例の立体構造模式図であり、保護カバーに固定器を設置する構造対応状況を示す。
【図９】図８の構造組合せの平面模式図であり、固定器と保護カバーの構造対応状況を示す。
【図１０】本考案の修正実施例の立体構造模式図であり、スイッチ配線装置、保護カバーに組み合わせる固定器の構造対応状況を示す。
【図１１】本考案の可能な実施例の平面構造模式図であり、尾部区は保護カバー軸線に相対し、斜め形態の構造状況を形成する。
【図１２】本考案の派生実施例の平面構造模式図であり、尾部区は、保護カバー軸線に相対し、垂直湾曲形態の構造状況を形成する。
【図１３】本考案の修正実施例の平面構造模式図であり、尾部区は、保護カバー軸線に相対し、それぞれ両側へ向かい垂直湾曲形態の構造状況を形成する。
【考案を実施するための形態】
【００１４】
（実施例）
【００１５】
図１、２、３に示すように、本考案スイッチ配線装置に用いる保護カバー構造は、符号１００に示すような筒体構造を呈する保護カバーを備え、保護カバー１００は、ゴム、プラスチック或いはその類似材料により製造し、スイッチ配線装置９０上に配置し、或いは被せて取り付ける。
【００１６】
スイッチ配線装置９０は、入線孔９１と配線アセンブリ９２を備え、導線８０を枢接し、スイッチ配線装置９０は、従来の技術に属するため、詳述しない。
【００１７】
実施例中において、保護カバー１００は、頭部区１０、頭部区１０に連接する腹部区２０と腹部区２０に連接する尾部区３０を備える。
【００１８】
頭部区１０には、口部１１を形成し、頭部区１０の周辺には、凹部１２構造を形成して頭部区１０の厚みを減らし、頭部区１０の弾性性能を高め、保護カバー１００（或いは口部１１）とスイッチ配線装置９０の組み合わせ操作作業とカバー固定作用に有利とする。
【００１９】
図に示すように、頭部区１０と腹部区２０は、口部１１に通じるチャンバー１５を共同で形成し、スイッチ配線装置９０を組み合わせて収容し、該チャンバー１５内に少なくとも１個の肩部２１構造を設置して、スイッチ配線装置９０の定位を補助する（例として図３参照）。
【００２０】
さらに、図１、２、３に示すように、尾部区３０は、チャンバー１５に通じる導孔３１を形成する。
【００２１】
よって、作業員は、導線８０を操作して導孔３１に挿入し、これにより導線８０は保護カバー１００（或いはチャンバー１５）に入り、スイッチ配線装置９０に電気的に連接する。
【００２２】
好ましい実施例中において、尾部区３０周辺には、複数の環状リブ３２を設置して保護カバー１００（或いは尾部区３０）の構造強度を増強し、かつ配線作業時に導線８０に生じる外部応力を尾部区３０が支えるのを補助する。
【００２３】
図に示すように、頭部区１０周辺、腹部区２０周辺には、複数のリブ部１３、２２をそれぞれ設置して、保護カバー１００の構造強度を補強する。
【００２４】
図４に示すように、作業員が配線作業を行う際に、導線８０を引っ張り、湾曲する状況時には、尾部区３０と環状リブ３２は、導線８０が引っ張られ、湾曲する等の外部応力（或いは作用力）を支える作用を生じ、保護カバー１００が、外部応力による引っ張り、湾曲等作業により破損する状況を低減させる。
【００２５】
図４に示すように、尾部区３０の右側に圧迫の形態が生じるのは、導線８０配線作業により尾部区３０に最大湾曲状態を生じる時であって、該環状リブ３２も、相互に作用して対抗するメカニズムを備え、保護カバー１００（及び／或いは尾部区３０、導線８０）が過度に湾曲され裂損する状況を回避でき、導線８０が裂損し電気的連接に影響する危険性を阻止、或いは低減させることができる。
【００２６】
図５、６に示すように、さらなる実施例において、保護カバー１００には、固定器５０を設置し、頭部区１０及び／或いは尾部区３０を結束し、これにより保護カバー１００とスイッチ配線装置９０（或いは導線８０）は、より堅固な密閉の結合作用を形成する。
【００２７】
図に示すように、固定器５０は、対称或いは対応形態の２個の半円形環状の構造を備え、それぞれ第一部５１、第二部５２と規定する。
【００２８】
第一部５１、第二部５２は、それぞれ第一端５１ａ、５２ａと第二端５１ｂ、５２ｂを備える。
【００２９】
第一部５１の第一端５１ａと第二部５２の第二端５２ｂは、それぞれ凹部５３、凹部５３区域内に位置して片持ち梁構造のカンチレバー５４、カンチレバー５４から突出する係合部５５を形成し、第一部５１の第二端５１ｂと第二部５２の第一端５２ａは、突部５６、突部５６上に配置される溝部５７、溝部５７に連接する嵌合溝５８を形成する。
【００３０】
実施例中において、第一部５１と第二部５２は、これらの構成により相互に結合、或いは嵌合する。
【００３１】
第一部第一端５１ａの凹部５３は、第二部第一端５２ａの突部５６に組み合わせ、これにより第一部第一端５１ａのカンチレバー５４、係合部５５は、第二部第一端５２ａの溝部５７、嵌合溝５８内部に対応して組み合わせられ、或いは嵌合される。
【００３２】
第一部第二端５１ｂの突部５６、溝部５７と嵌合溝５８は、第二部第二端５２ｂの凹部５３、カンチレバー５４と係合部５５に対応して組み合わせられ、或いは嵌合され、これにより固定器５０は、固定頭部区１０及び／或いは尾部区３０を結束する。
【００３３】
他の実施例である図７に示すように、固定器５０は、結束バンドの形態とでき、図中の点線部分は、結束バンド形態の固定器５０を固定頭部区１０に組み合わせる状況を示す。
【００３４】
更に他の実施例である図８、９に示すように、固定器５０は筒状体構造で、作業員が固定器５０を操作し、保護カバー１００と組み合わせる時、固定器５０は徐々にリブ部１３と干渉を形成し、これにより固定器５０を保護カバー１００上に嵌めて固定し、こうして保護カバー１００とスイッチ配線装置９０は、より堅固な密閉された結合作用を形成する。
【００３５】
リブ部１３は頭部方向に向けて徐々に拡大して保護カバー１００上に嵌合する固定器の傾斜拡張を形成する構造で、これにより固定器５０とリブ部１３の干渉組合せ応力は、徐々に拡大する形態を取る。
【００３６】
更に他の実施例である図１０に示すように、固定器５０は筒状体構造で、しかも固定器５０内壁には、ねじ山セクション５９を形成する。
【００３７】
固定器５０のねじ山セクション５９に対応し、スイッチ配線装置９０には、ねじ山部９３を設置し、これにより作業員が固定器５０を操作し、スイッチ配線装置９０と固定する時、保護カバー１００とスイッチ配線装置９０は、より堅固な密閉の結合作用を形成する。
【００３８】
また、更に他の実施例である図１１に示すように、尾部区３０は、保護カバー１００軸線に相対し、斜めに延伸する形態の構造状況を形成し、これにより尾部区３０と保護カバー１００軸線の挟角角度は約１５度〜７５度となる。
【００３９】
また、更に他の実施例である図１２に示すように、尾部区３０は保護カバー１００軸線に相対し、垂直湾曲形態の構造状況を形成する。
【００４０】
また、更に他の実施例である図１３に示すように、尾部区３０は保護カバー１００の軸線に相対してそれぞれ図中の両側方向へと延伸し、垂直方向に湾曲した形態の構造を呈する。
【００４１】
図１１、１２、１３に示す尾部区３０の構造と配置方向は、作業員の実際の使用のニーズに基づき、導線８０を組み合わせ、スイッチ配線装置９０に連接する作用を助ける。
【００４２】
上記を総合すると、スイッチ配線装置に用いる保護カバー構造は、従来の構造に比べ、以下の長所を有する。
【００４３】
１．保護カバー１００の対応する構成部材の構造は、頭部区１０、腹部区２０、
尾部区３０を備え、口部１１、凹部１２構造を備える頭部区１０は、腹部区２０に対応し、チャンバー１５を共同で形成し、尾部区３０には導孔３１、環状リブ３２を設置してなり、
保護カバー１００に組み合わせる固定器５０は従来の構造とは異なり、従来のスイッチ配線装置の組み合わせ関係を変えて、これによりその使用、操作形態は従来の構造と異なる。
２．該保護カバー１００構造及び／或いは、該保護カバー１００構造に組み合わせる固定器５０は、作業員がスイッチ配線装置９０に組み合わせる際に便利であって、スイッチ配線装置へのホコリ、水分或いは湿気の容易な侵入と堆積を阻止する作用を達成し、これにより保護カバー１００とスイッチ配線装置９０は堅固な密閉の効果を形成し、しかも別にハウジングを設置しスイッチを覆う従来の構造のスイッチ装置全体の空間占拠、設置作業と配送の面倒、コスト等を拡大する状況を改善できる。
【００４４】
特に、保護カバー１００構造は、より理想的な構造強度により、作業員がスイッチ配線装置９０の配線作業を行う際に生じる引っ張り、湾曲等外部応力（或いは作用力）を支えるメカニズムを提供することができる。
【産業上の利用可能性】
【００４５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００４６】
１０  頭部区
１１  口部
１２  凹部
１３、２２  リブ部
１５  チャンバー
２０  腹部区
２１  肩部
３０  尾部区
３１  導孔
３２  環状リブ
５０  固定器
５１  第一部
５１ａ、５２ａ  第一端
５１ｂ、５２ｂ  第二端
５２  第二部
５３  凹部
５４  カンチレバー
５５  係合部
５６  突部
５７  溝部
５８  嵌合溝
５９  ねじ山セクション
８０  導線
９０  スイッチ配線装置
９１  入線孔
９２  配線アセンブリ
９３  ねじ山部
１００  保護カバー
【図１】
0003224543.tif 000003
【図２】
0003224543.tif 000004
【図３】
0003224543.tif 000005
【図４】
0003224543.tif 000006
【図５】
0003224543.tif 000007
【図６】
0003224543.tif 000008
【図７】
0003224543.tif 000009
【図８】
0003224543.tif 000010
【図９】
0003224543.tif 000011
【図１０】
0003224543.tif 000012
【図１１】
0003224543.tif 000013
【図１２】
0003224543.tif 000014
【図１３】
0003224543.tif 000015